(57)【要約】【課題】  従来のステレオカメラやステレオベースを用いた撮影では、輻輳動作できず、近距離において視差が影響し、立体像の得られる範囲が有効に得られない場合や、被写体像が衝立のように見える不自然な現象が発生した。輻輳動作出来ても大掛かりなものとなり、可搬性に問題があった。【解決の手段】  撮像機能を有するふたつのユニットを、ふたつの噛み合った同歯数の歯車上に配置することにより、一方の輻輳制御で相対する他方の輻輳動作を可能にした。またこのふたつの歯車軸と同軸上に別の同歯数の歯車を噛み合わせ配置し、これを経由し運動伝達することにより、如何なる輻輳状態においても一方の機械的レリーズ動作運動を他方のレリーズ動作運動へ伝達でき、同時レリーズを可能とした。カムにより一方の輻輳制御を行うが、カムの係合を外すことにより外開きの輻輳角での同時撮影も可能となる。【選択図】図４
2008107747.tif 000002
【特許請求の範囲】
【請求項１】
撮像機能を有するユニットを２台設置し、それぞれの回転軸に対し、同歯数の歯車を噛み合わせ拘束することにより、一方の輻輳回転動作に連動し他方も反対方向、同回転角の動きを可能にした輻輳動作機能付き撮影装置。
【請求項２】
輻輳動作のふたつの回転軸と同軸上に別の同歯数の歯車対を配置し、その歯車対を経由して力伝達を行うことにより、如何なる輻輳動作状況でも２台の撮像ユニットを同時にシャッターレリーズ出来るようにした撮影装置。
【請求項３】
カムの係合により被写体に対し、ステレオカメラとして光軸を内側に角度を振る輻輳制御動作が出来、逆にカムの係合を外すことにより、任意に被写体に対し光軸を外側に振り、広域画角を有する所謂パノラマ写真撮影用機材をして利用出来る複合機能を有する撮影装置。
【請求項４】
カメラを背合わせの状態まで回動できるようにし、携帯性の配慮と同時に、主被写体とは１８０度逆方向の同時撮影が出来るようにした撮影装置。
【発明の詳細な説明】
【技術分野】
【０００１】  本発明は２台の撮像ユニットの撮影光学系がなす輻輳角、あるいは光軸の開き角を簡単に制御出来、且つ同時撮影を可能にした撮影機材に関する。
【背景技術】
【０００２】  同時複数枚撮影出来る撮影機材には、２つの撮影レンズを平行に並べたステレオカメラや２台のカメラを光軸平行に配置し撮影出来るようにしたステレオベースなる撮影補助機材がある。また複数のカメラを配し、且つ輻輳角を電気的にコントロール出来る大掛かりな特殊装置もある。いずれも輻輳角等の光軸の振り角が制御出来、通常のカメラのように気軽に持ち運べ、同時レリーズ出来るものがない。
【発明の開示】
【発明が解決しようとする課題】
【０００３】  以上に述べた従来のステレオカメラやステレオベースを用いた撮影では、近距離において視差が影響し、立体像の得られる範囲が有効に得られない場合や、被写体像が衝立のように見える不自然な現象が発生した。これを解決するため輻輳角を設定出来るようにしたものもあるが、大掛かりで容易に持ち運びできるものではなかった。【０００４】  本発明は、自然な立体像を得るために、人間の目の動きのひとつである輻輳を取り入れ挟角方向の操作が撮影距離に応じて出来ると共に、開角方向にも操作でき、且つ同時レリーズできるカメラを目的とする。また通常カメラ２台分程の大きさとなりがちなこの種のカメラの仰々しさを軽減し、撮影者と撮影されるものとの心理的負担を軽減し、持ち運び容易な同時撮影装置を実現することを目的とするものである。
【課題を解決するための手段】
【０００５】  そして、本発明は上記目的を達成する為に、銀塩カメラやデジタルカメラ等の撮像ユニットを噛み合った一対の同歯数の歯車上に配置することにより、装置全体の基準ベースに対し一方の撮像ユニットの回転操作を行うと上記の歯車の係合により他方の撮像ユニットは反対方向に同量の回転動作が伝達出来る。【０００６】  また撮影ユニットが配置された上記歯車上の基板に、それとは別の係合した同歯数の歯車対を前記歯車のふたつの歯車軸と合致した配置とすることにより、上記の如何なる撮像ユニットの回転操作においても逆方向の同量の回転運動が出来る。この作用を利用し、一方の撮像ユニットのシャッターレリーズ動作運動を他方の撮像ユニットに運動伝達でき、同時撮影が可能となる。【０００７】  このふたつの作用を利用し、輻輳角あるいは光軸開角設定と同時撮影の両方が可能な携帯性の良い撮影装置ができる。
【発明の効果】
【０００８】  上述したように本発明の撮影装置は輻輳角を含む光軸角度操作とふたつの撮像ユニットの同時撮影が可能となるが、光軸角度設定においては、一方の角度動作が他方へ小さな歯車対を経由し伝達できる為、光軸角度設定は一方のみで良く、装置全体をコンパクトにできる。【０００９】また一般的に輻輳角は被写体あるいは物体に向かう方向に対し、内側の挟角を意味するが、逆に外側に向けることも可能であり、撮像ユニットの対物レンズの水平方向画角が多少重なり合う程度に設定すれば、広画角撮影あるいはパノラマ撮影と言われる類の撮影も可能である。【００１０】さらに撮像ユニットが物理的に干渉しなければ、撮像ユニットが背合わせの状態にもでき、被写体撮影と同時に背景の同時撮影も可能となる。【００１１】当然ながら、撮影装置の様態は、２台のカメラが並んだようなステレオカメラのような形状から、背合わせにすれば、容積こそ変わらないが携帯性の良い、あるいは仰々しいカメラの印象を避ける効果を発揮する。
【発明の実施するための最良の形態】
【００１２】  以下、本発明の実施の形態を図１〜図１２に基づいて説明する。
【００１３】  図１、図２は本発明の実施の形態を示した外観図である。図１においては、１ａと１ｂは撮像ユニットであり、２は撮像ユニットも含め撮影装置全体を支えるベースである。ベース下面には図３で示すように三脚あるいはブラケット等が取り付けられる三脚ねじ穴２ａが設けられている。さらにこのベースには歯車軸３ａ、３ｂが植設されており、この歯車軸には同歯数の４ａと４ｂの歯車が係合した状態で取り付けられている。ベース２に対し歯車の一方が回動すれば、他方の歯車は反対方向に同角度回動する。
【００１４】  図４は外装の一部を外した図である。歯車４ａと４ｂには基板５ａと５ｂが、またその上には２層の形でそれぞれ基板６ａと６ｂが支持されている。
また本実施例では、基板６ａと６ｂの上にそれぞれ支持枠７ａと７ｂが固着され、撮像ユニット１ａと１ｂは止めねじ８ａと８ｂにより支持枠７ａ、７ｂに螺合されている。
【００１５】  図５〜図８は基板５ａと５ｂに配置さらた部材の状態を示す。基板５ａには輻輳角を設定すると共に回動動作を発生させるカム板９が、このカム板９に設けられたカム溝９ａが歯車軸３ａの先端に設けられたガイド部と基板５ａに植設されたフォロワー１０をくわえ込む形で取り付けられている。このカム板９に設けられたカム溝９ａは撮像ユニットの光軸を平行にした時［図５］、カム溝の先端開口部９ｂは歯車軸３ｂの先端に設けられたガイド部をくわえ込め、その状態においてカム板９は歯車軸３ａ、３ｂの先端ガイド部に沿って光軸と直角を成す方向に方向に動くことが出来る。カム溝９ａの奥部９ｃは円弧を成し、フォロワー１０の係合範囲の一部となる。フォロワー１０がこの円弧部に沿い出すと、基板５ａは歯車軸３ａを中心に回動を始める。図６はフォロワー１０がカム溝９ａの一番奥に達したときの状態である。基板５ａがベース２に対し、歯車軸３ａを中心に回転すると、前述の通り歯車４ａと４ｂが同歯数の歯車で噛み合っている為、基板５ｂは基板５ａと反対方向に同角度回転する。よって、上述の通り、基板５ａ、５ｂのその上に設置された撮像ユニット１ａ、１ｂは双方内側に向かって同角の所謂輻輳動作を起こす。図示していないが、カム板９のスライドする方向に輻輳角度に相当する撮影距離の目盛りを設ければ、被写体との距離を測距して、目盛りに移し変えれば、輻輳角度を容易に設定できる。
【００１６】  尚、カム板９を引き、カム溝開口部９ｂが歯車軸３ｂの先端のガイド部から外れた時は、図７に示すように、撮像ユニット１ａ、１ｂが輻輳する方向とは逆に背合わせになる方向に折り曲げられる。さらには図８が示すように、完全に背合わせになり、カム板操作部９ｄの一部に設けたフック部が基板５ｂ上に設けたロックピン５ｃと係合しその状態を維持できる構造となっている。フックを解除するには図８の状態で、カム板９のカム溝開口部９ｂ付近が本装置の外側に出ているので、開口部を押す。
尚、カム板９の周辺には撮像ユニットの光軸を平行にするまでの間、カム板９を不用意に飛び出す事無く定位置に留める機構、さらには輻輳動作範囲を規定する機構とその範囲から抜ける機構があるが本発明とは直接関係ないため、説明は省略する。
【００１７】  基板５ａと５ｂの上に支持される基板６ａ、６ｂには歯車軸３ａ、３ｂと同軸の１１ａ、１１ｂが植設され、この歯車軸には同歯数の歯車１２ａ、１２ｂが係合した状態で取り付けられている。またこの歯車１２ａ、１２ｂにはラック板１３ａ、１３ｂが係合している。また、ラック板はそれぞれ基板６ａ、６ｂに植設されたガイドピン１４、１５に沿って動く。よってラック板１３ａを右方向に動かすと、ラック板１３ｂは反対方向の左方向に同量動く。この関係は、歯車１２ａと１２ｂが輻輳動作に合わせ反対方向に同量動く為、ラック板１３ａと１３ｂの相対関係が崩れることなく、図９と図１０が示すように如何なる輻輳角の状況であっても左右対称の動作を実現できる。
【００１８】  本装置では撮像ユニットは同じものを２台使用し、また撮像ユニットとして一般的な銀塩カメラやデジタルカメラを想定している。そのため通常画面は横長となり、必然的にその筐体も横長となる傾向にある。また人間の視間距離は６０〜７０ｍｍであり、それ以下だと立体感が不足し、それ以上だと立体感に違和感を生じる為、この視間距離を維持しようとすると筐体自体を縦位置に配置せざるを得ない。よってシャッターレリーズボタンは通常横位置となる。図４で１ｃ、１ｄが相当する。
【００１９】  上で説明した支持枠７ａ、７ｂには撮像ユニットのシャッターレリーズボタン１ｃ、１ｄの押下方向と同方向に動くレリーズ板１６ａ、１６ｂがガイドピン１７により取り付けられている。レリーズ板の一部は撮像ユニットのシャッターレリーズボタンを直接押下出来るようになっている。
【００２０】  レリーズ板１６ａを右方向に動かすと、レリーズ板１６ａは撮像ユニット１ａのシャッターレリーズボタン１ｃを押下し始めると同時に、レリーズ板１６ａの一部がラック板１３ａに係合しておりラック板１３Ａを右方向に動かす。先の説明に従うと、歯車１２ａ、１２ｂを介し、ラック板１３ｂは左方向に動く。
【００２１】  ラック板１３ｂとレリーズ板１６ｂはその中間に配置された支点１８を中心に回動する腕の長さが等しい反転レバー１９の両端とそれぞれ係合している。よってレリーズ板１６ｂはラック板１３ｂと逆方向に動くことになる。ラック板１３ａと同様に、ラック板１３ｂの一部が撮像ユニット１ｂのシャッターレリーズボタン１ｄを押すようになっている。
【００２２】  以上のように、レリーズ板１６ａを押すと、レリーズ板１６ｂが同時に同量、同方向動くために、撮像ユニット１ａと１ｂのシャッターレリーズボタン１ｃ、１ｄを同時に押下出来、同時撮影が可能となる。
【００２３】  ラック板１３ａ、１３ｂはばね１９により外側に付勢されており、レリーズ板１６ａ、１６ｂは常にシャッターレリーズボタン１ｃ、１ｄから逃げる方向に力が働いているため、レリーズ板１６ａの押下を止めれば、撮像ユニット１ａ，１ｂのシャッターレリーズボタンの押下を同時に解除できる。
【００２４】  尚、輻輳動作させる駆動部はベース部近辺にあるため、撮像ユニットの保持強度補強あるいは片持ち支持での煽られ防止のため、ベース２に支柱２ｂを固設すると共に、その上部には上支持基板２０を固定し、この上支持基板２０に図１１〜１２で示すように、ベース２の歯車４ａ、４ｂ同様に支持枠７ａ、７ｂの上部に取り付けられた歯車板２１ａ、２１ｂの歯車部をその歯車軸が歯車軸３ａ、３ｂと合致位置する関係で、噛み合わせて歯車回転軸２２ａ、２２ｂにて歯車板を取り付けてある。
【００２５】  以上のように、本実施形態によれば撮像ユニットの物理的干渉の起こらない範囲で、左右同角の輻輳動作が出来ると共に、同時レリーズが可能な撮影装置が出来る。また折りたためば、容積は変わらないにしても、可搬性に融通が利くようになると共に、方向により見掛け小さく従来のステレオカメラが特段の普及をしなかった一つの原因と考えられる２台のカメラを並べた程度のその仰々しさも撮影時広げたその一時に限られ、撮影者側にも撮影される側にも心理的な負担が軽減され、撮影チャンスが増える期待が出来る。またステレオカメラとしての輻輳動作範囲以外でも、撮像ユニットの同時レリーズが出来る為、デジタル画像の処理を利用すれば、２画像によるパノラマ撮影や１８０°逆方向の撮影も出来、大いに利用法に幅が出来る。
【図面の簡単な説明】
【００２６】
【図１】  本発明の実施形態を示す撮影装置の外観図（正面図と上面図）
【図２】  本発明の実施形態を示す撮影装置の外観図（左右側面図）
【図３】  本発明の撮影装置におけるベース部の説明図
【図４】  本発明の撮影装置における内部の説明図
【図５】  輻輳しない時のカム板の状態説明図
【図６】  輻輳した時のカム板の状態説明図
【図７】  折り畳み途中のカム板の状態説明図
【図８】  折り畳み完了時のカム板の状態説明図
【図９】  輻輳しない時のシャッターレリーズ機構説明図
【図１０】  輻輳した時のシャッターレリーズ機構説明図
【図１１】  輻輳しない時の上面ガイド部の説明図
【図１２】  輻輳した時の上面ガイド部の説明図
【符号の説明】
【００２７】  １ａ、１ｂ    撮像ユニット
２            ベース
２ａ          三脚ねじ穴
２ｂ          支柱
３ａ、３ｂ    歯車軸
４ａ、４ｂ    歯車
５ａ、５ｂ    基板（下）
５ｃ          ロックピン
６ａ、６ｂ    基板（上）
７ａ、７ｂ    支持枠
８ａ、８ｂ    止めねじ
９            カム板
９ａ          カム溝
９ｂ          カム溝先端部
９ｃ          カム溝奥部（円弧形状部）
９ｄ          カム板操作部
１０            フォロワー
１１ａ、１１ｂ  歯車軸
１２ａ、１２ｂ  歯車
１３ａ、１３ｂ  ラック板
１４            ガイドピン
１５            ガイドピン
１６ａ、１６ｂ  板
１７            ガイドピン
１８            支点
１９            反転レバー
２０            上支持基板
２１ａ、２１ｂ  歯車板
２２ａ、２２ｂ  歯車回転軸
【図１】
2008107747.tif 000003
【図２】
2008107747.tif 000004
【図３】
2008107747.tif 000005
【図４】
2008107747.tif 000006
【図５】
2008107747.tif 000007
【図６】
2008107747.tif 000008
【図７】
2008107747.tif 000009
【図８】
2008107747.tif 000010
【図９】
2008107747.tif 000011
【図１０】
2008107747.tif 000012
【図１１】
2008107747.tif 000013
【図１２】
2008107747.tif 000014